(57)【特許請求の範囲】
【請求項１】
ベースと、羽根及びネットカバーを備えるヘッドと、を含み、
前記羽根が第１の軸線を中心として回転可能であり、前記ヘッドが回転軸（１４）の回転により第２の軸線を中心として前記ベースに対して回転可能であり、前記第２の軸線が、前後方向に前記ネットカバーを貫通するとともに、水平面に対して前方に向かって上方へ斜めに傾き、前記第１の軸線に対して斜めに設けられており、
前記ヘッドは、前記ヘッドを前記ベースに対して回転させるためのモータ（１８）を含み、前記モータ（１８）は、回転軸（１８０）を有し、
回転軸（１４）に接続された第２の歯車（２２）が回転軸（１８０）に接続された第１の歯車（２０）に歯み合うことにより、前記モータ（１８）の回転軸（１８０）が回転軸（１４）に接続されることで、回転軸（１４）が前記モータ（１８）の回転軸（１８０）に連動して回転するように駆動される、ことを特徴とする扇風機のヘッド部。
【請求項２】
前記第１の軸線の前向きの部分と前記第２の軸線の前向きの部分とがなす角度が１０〜８０°である、
ことを特徴とする請求項１に記載の扇風機のヘッド部。
【請求項３】
前記第１の軸線の前向きの部分と前記第２の軸線の前向きの部分とがなす角度が３５〜５５°である、
ことを特徴とする請求項１に記載の扇風機のヘッド部。
【請求項４】
ベースと、羽根を備えるヘッドとを含み、
前記羽根が第１の軸線を中心として回転可能であり、前記ヘッドが回転軸（１４）の回転により第２の軸線を中心として前記ベースに対して回転可能であり、前記第２の軸線が水平面に対して前方に向かって上方へ斜めに傾くとともに前記第１の軸線に対して斜めに設けられており、
独立した自動上下首振り機構が設けられておらず、
前記ヘッドは、前記ヘッドを前記ベースに対して回転させるためのモータ（１８）を含み、前記モータ（１８）は、回転軸（１８０）を有し、
回転軸（１４）に接続された第２の歯車（２２）が回転軸（１８０）に接続された第１の歯車（２０）に歯み合うことにより、前記モータ（１８）の回転軸（１８０）が回転軸（１４）に接続されることで、回転軸（１４）が前記モータ（１８）の回転軸（１８０）に連動して回転するように駆動される、
ことを特徴とする縦置き型の扇風機。
【請求項５】
独立した自動左右首振り機構が設けられていない、
ことを特徴とする請求項４に記載の縦置き型の扇風機。
【請求項６】
第１のモータ及び第２のモータからなる２つのモータのみが設けられ、前記第１のモータが前記羽根に接続され、前記第２のモータが前記ヘッドに接続されている、
ことを特徴とする請求項４に記載の縦置き型の扇風機。
【請求項７】
前記ヘッドが歯車伝動機構又はリンク伝動機構に接続されている、
ことを特徴とする請求項４に記載の縦置き型の扇風機。
【請求項８】
ベースと、羽根、ネットカバー、及び第１の回転軸を備えるヘッドと、を含み、
第１の回転軸が前記羽根を回転するように駆動し、前記ヘッドが第２の回転軸（１４）の軸線である第２の軸線を中心として前記ベースに対して回転可能であり、前記第２の軸線が、前記ネットカバーを貫通するとともに、水平面に対して前方に向かって上方へ斜めに傾き、第１の回転軸の軸線である第１の軸線に対して斜めに設けられており、
前記ヘッドは、前記ヘッドを前記ベースに対して回転させるためのモータ（１８）を含み、前記モータ（１８）は、第３の回転軸（１８０）を有し、
第２の回転軸（１４）に接続された第２の歯車（２２）が第３の回転軸（１８０）に接続された第１の歯車（２０）に歯み合うことにより、前記モータ（１８）の第３の回転軸（１８０）が第２の回転軸（１４）に接続されることで、第２の回転軸（１４）が前記モータ（１８）の回転軸（１８０）に連動して回転するように駆動される、
ことを特徴とする壁掛け型の扇風機。
【請求項９】
ネットカバーを備える可動部と、固定部と、を含み、
前記可動部が回転軸（１４）の軸線を中心として前記固定部に対して回転可能であり、前記回転軸（１４）の軸線が、前記ネットカバーを貫通するとともに、水平面に対して前方に向かって上方へ斜めに傾き、前記可動部のネットカバーの中心線に対して斜めに設けられ、
前記可動部は、前記可動部を前記固定部に対して回転させるためのモータ（１８）を含み、前記モータ（１８）は、回転軸（１８０）を有し、
回転軸（１４）に接続された第２の歯車（２２）が回転軸（１８０）に接続された第１の歯車（２０）に歯み合うことにより、前記モータ（１８）の回転軸（１８０）が回転軸（１４）に接続されることで、回転軸（１４）が前記モータ（１８）の回転軸（１８０）に連動して回転するように駆動され、
独立した自動上下首振り機構が設けられていない、
ことを特徴とする家庭用電気機器。
【請求項１０】
請求項４〜８のいずれか一項に記載の扇風機の送風方法であって、
前記ヘッドの羽根が前記第１の軸線を中心として回転して気流を生成するステップと、
前記ヘッドが前記第２の軸線を中心として前記ベースに対して回転するステップと、を含む、
ことを特徴とする扇風機の送風方法。
【発明の詳細な説明】
【技術分野】
【０００１】
本願は、出願番号がＣＮ２０１５１０５６０８１７．９であって、出願日が２０１５年９月２日である中国特許出願に基づき優先権を主張し、当該中国特許出願の内容の全てを本願に援用する。
【０００２】
本発明は、家庭用電気機器の分野に関し、特に、扇風機のヘッド部、縦置き型の扇風機、壁掛け型の扇風機、家庭用電気機器及び扇風機の送風方法に関する。
【背景技術】
【０００３】
従来の扇風機は、水平方向及び垂直方向にそれぞれ独立した機構を設けることで、扇風機の左右及び上下の首振りを実現する。また、ＣＮ２０３７１７４００Ｕ、ＣＮ１０４２０４５３６Ａ、ＣＮ２０３７３０３６０Ｕ、及びＣＮ２０３８４７４１７Ｕを参照すると、それぞれが独立した自動左右首振り機構及び自動上下首振り機構により、ヘッドの空間範囲内での回転を実現するが、このように構成すると、構造が複雑になり、コストが増加してしまう。
【発明の概要】
【発明が解決しようとする課題】
【０００４】
本発明は、少なくとも従来に存在する技術的問題を解決するために、扇風機のヘッド部を提供することにその目的がある。
【０００５】
また、本発明は、縦置き型の扇風機を提供する。
【０００６】
また、本発明は、壁掛け型の扇風機を提供する。
【０００７】
さらに、本発明は、家庭用電気機器を提供する。
【０００８】
またさらに、本発明は、扇風機の送風方法を提供する。
【課題を解決するための手段】
【０００９】
本発明の第１の態様によれば、ベースと、羽根及びネットカバーを備えるヘッドとを含み、前記羽根が第１の軸線を中心として回転可能であり、前記ヘッドが第２の軸線を中心として前記ベースの外周全体に渡って回転可能であり、前記第２の軸線が前後方向に前記ネットカバーを貫通するとともに、前記第１の軸線に対して斜めに設けられる扇風機のヘッド部が提供される。
【００１０】
本発明の扇風機のヘッド部によれば、前記第２の軸線が前記第１の軸線に対して斜めに設けられるので、単一の駆動構成によって、前記ヘッドが水平方向及び鉛直方向により形成された空間範囲内で回転するように駆動されることが同時に実現され、構造が簡単になり、コストが低下される。
【００１１】
一実施態様において、前記第１の軸線の前向きの部分と前記第２の軸線の前向きの部分とがなす角度が１０〜８０°である。
【００１２】
一実施態様において、前記第１の軸線の前向きの部分と前記第２の軸線の前向きの部分とがなす角度が３５〜５５°である。
【００１３】
本発明の第２の態様によれば、ベースと、羽根を備えるヘッドとを含み、前記羽根が第１の軸線を中心として回転可能であり、前記ヘッドが第２の軸線を中心として前記ベースの外周全体に渡って回転可能であり、前記第２の軸線が水平面に対して前に向かって上方へ斜めに傾き、独立した自動上下首振り機構が設けられていない縦置き型の扇風機が提供される。
【００１４】
一実施態様において、前記縦置き型の扇風機には、独立した自動左右首振り機構が設けられていない。
【００１５】
一実施態様において、前記縦置き型の扇風機には、第１のモータ及び第２のモータからなる２つのモータのみが設けられ、前記第１のモータが前記羽根に接続され、前記第２のモータが前記ヘッドに接続される。
【００１６】
一実施態様において、前記ヘッドが歯車伝動機構又はリンク伝動機構に接続される。
【００１７】
本発明の第３の態様によれば、ベースと、羽根を備えるヘッドとを含み、前記羽根が第１の軸線を中心として回転可能であり、前ベースと、羽根、ネットカバー、及び第１の回転軸を備えるヘッドとを含み、第１の回転軸が前記羽根を回転するように駆動し、前記ヘッドが回転軸線を中心として前記ベースの外周全体に渡って回転可能であり、前記回転軸線が前記ネットカバーを貫通するとともに、第１の回転軸に対して斜めに設けられる壁掛け型の扇風機が提供される。
【００１８】
本発明の第４の態様によれば、ネットカバーを備える可動部と、固定部とを含み、前記可動部が回転軸線を中心として前記固定部の外周全体に渡って回転可能であり、前記回転軸線が前記ネットカバーを貫通するとともに、前記可動部のネットカバーの中心線に対して斜めに設けられるように構成され、独立した自動上下首振り機構が設けられていない家庭用電気機器が提供される。
【００１９】
本発明の第５の態様によれば、羽根及びネットカバーを備えるヘッドを含む扇風機の送風方法であって、
ヘッドの羽根が第１の軸線を中心として回転して気流を生成するステップと、
前記ヘッドが第２の軸線に対して外周全体に渡って回転するステップと、を含み、
前記第２の軸線が前後方向に前記ネットカバーを貫通するとともに、前記第１の軸線に対して斜めに設けられる扇風機の送風方法が提供される。
【００２０】
本発明の付加的な特徴及びメリットは、以下の説明において一部が述べられ、一部が以下の説明においてさらに明瞭になり、又は本発明の実践を介して把握できる。
【図面の簡単な説明】
【００２１】
本発明の上述及び/又は付加した特徴及びメリットは、以下の図面に組み合わせながら実施形態に対する説明過程中に明瞭になり、容易に理解できる。
【図１】本発明の実施形態に係る縦置き型の扇風機の構成を示す概略図である。
【図２】本発明の実施形態に係る扇風機の正面図である。
【図３】本発明の実施形態に係る扇風機の側面図である。
【図４】本発明の実施形態に係る扇風機のヘッドの側面断面図である。
【図５】本発明の実施形態に係る扇風機のヘッドの他の側面断面図である。
【図６】本発明の実施形態に係る扇風機の支持部分の構成を示す概略図である。
【図７】本発明の実施形態に係る縦置き型の扇風機の運転状態を示す図である。
【図８】本発明の実施形態に係る壁掛け型の扇風機の構成を示す概略図である。
【図９】本発明の実施形態に係るターボファンの構成を示す概略図である。
【図１０】本発明の実施形態に係る吊り下げ型の構成を示す概略図である。
【発明を実施するための形態】
【００２２】
以下、本発明の実施形態を詳細に説明する。前記実施形態の例が図面に示されるが、同一又は類似する符号は、常に、同一又は類似の部品、又は、同一又は類似の機能を有する部品を表す。以下に、図面を参照しながら説明される実施形態は例示的なものであり、本発明を解釈するためだけに用いられ、本発明を限定するものと理解されてはならない。
【００２３】
また、本発明の説明において、「第１」、「第２」は目的を説明するための用語に過ぎず、相対的な重要性を指示又は暗示するか、又は示された技術的特徴の数を黙示的に指示すると理解してはいけない。従って、「第１」、「第２」で限定された特徴は少なくとも１つの当該特徴を含むことを明示又は暗示する。本発明の説明において、別途明確に且つ具体的な限定がない限り、「複数」とは、２つ又は２つ以上のことを意味する。
【００２４】
また、本発明の説明において、別途明確な規定と限定がない限り、「取り付け」、「互いに接続」、「接続」の用語の意味は広く理解されるべきである。例えば、固定接続や、着脱可能な接続や、あるいは一体的な接続でも可能である。機械的な接続や、電気的な接続であってもよく、また、互いに通信可能になってもよい。また、直接的に接続することや、中間媒体を介して間接的に接続することや、２つの部品の内部が連通することや、２つの部品の相互的作用関係があることも可能である。当業者は、具体的な場合によって上記用語の本発明における具体的な意味を理解することができる。
【００２５】
以下の説明に、複数の異なる実施形態又は例を提供し、本発明の異なる構成を実現できる。本発明の説明を簡単化するために、以下において、特定の例の部材及び配置に対して説明する。なお、これらは単に例に過ぎず、本発明を制限するものではない。また、本発明は、異なる例において、数字及び/又はアルファベットを繰り返して参照するが、このような繰り返しは説明を簡単化及び明瞭にさせるためであり、それ自体がそれぞれ実施形態及び/又は配置の関係を指示するものでない。また、本発明は様々な特定のプロセス及び材料の例を提供するが、当業者であれば、その他のプロの応用及び／その他の材料の適用も想到可能なことは自明である。
以下、本発明の実施形態を詳細に説明する。前記実施形態の例が図面に示されるが、同一又は類似する符号は、常に、同一又は類似の部品、又は、同一又は類似の機能を有する部品を表す。以下に、図面を参照しながら説明される実施形態は例示的なものであり、本発明を解釈するためだけに用いられ、本発明を限定するものと理解されてはならない。
【００２６】
また、本発明の説明において、「第１」、「第２」は目的を説明するための用語に過ぎず、相対的な重要性を指示又は暗示するか、又は示された技術的特徴の数を黙示的に指示すると理解してはいけない。従って、「第１」、「第２」で限定された特徴は少なくとも１つの当該特徴を含むことを明示又は暗示する。本発明の説明において、別途明確に且つ具体的な限定がない限り、「複数」とは、２つ又は２つ以上のことを意味する。
【００２７】
また、本発明の説明において、別途明確な規定と限定がない限り、「取り付け」、「互いに接続」、「接続」の用語の意味は広く理解されるべきである。例えば、固定接続や、着脱可能な接続や、あるいは一体的な接続でも可能である。機械的な接続や、電気的な接続であってもよく、また、互いに通信可能になってもよい。また、直接的に接続することや、中間媒体を介して間接的に接続することや、２つの部品の内部が連通することや、２つの部品の相互的作用関係があることも可能である。当業者は、具体的な場合によって上記用語の本発明における具体的な意味を理解することができる。
【００２８】
以下の説明に、複数の異なる実施形態又は例を提供して、本発明の異なる構成を実現する。本発明の説明を簡単化するために、以下において、特定の例の部材及び配置に対して説明する。なお、これらは単に例に過ぎず、本発明を制限するものではない。また、本発明は、異なる例において、数字及び/又はアルファベットを繰り返して参照するが、このような繰り返しは説明を簡単化及び明瞭にさせるためであり、その自体がそれぞれ実施形態及び／又は配置の関係を指示するものでない。また、本発明は様々な特定のプロセス及び材料の例を提供するが、当業者であれば、その他のプロの応用及び／その他の材料の適用も想到可能なことは自明である。
【００２９】
図１を参照すると、本発明の第１の実施形態に係る扇風機の本体１０は、ベース１０ａ、及びヘッド１２を備え、ヘッド１２が羽根１２２及びネットカバー１２４を備え、羽根１２２が第１の軸線Ａを中心として回転可能であり、ヘッド１２が第２の軸線Ｂを中心としてベース１０ａの外周全体に渡って回転可能であり、第２の軸線Ｂが前後方向にネットカバー１２４貫通するとともに、第１の軸線Ａに対して斜めに設けられる。
【００３０】
本発明の実施形態に係る扇風機のヘッド部は、第２の軸線Ｂが第１の軸線Ａに対して斜めに設けられるので、単一の駆動構成によって、ヘッド１２が水平方向及び鉛直方向により形成された空間範囲内で回転するように駆動されることが同時に実現され、構造が簡単になり、コストが低下される。
【００３１】
この実施形態において、第１の軸線Ａの前向きの部分と第２の軸線Ｂの前向きの部分とがなす角が１０〜８０°である。
【００３２】
このように、単一の駆動構成によって、ヘッド１２が水平方向及び鉛直方向により形成された空間範囲内で回転するように駆動されることが同時に実現され、構造が簡単になり、コストが低下される。
【００３３】
この実施形態において、第１の軸線Ａの前向きの部分と第２の軸線Ｂの前向きの部分とがなす角が３５〜５５°であり、好ましくは４５°である。
【００３４】
このように、ヘッド１２は水平方向に対して所定の角度をなす傾斜軸に対し回転することができることにより、扇風機１０がより広い角度で回転できるとともに風を案内できる。この回転角度が３６０°であってもよく、３６０°未満であってもよい。また、反時計回り・時計回りに往復して回転してもよく、また、１つの方向に沿って循環して回転してもよい。
【００３５】
図２乃至図６を併せて参照すると、本発明の第１の実施形態に係る縦置き型の扇風機１０は、ベース１０ａ及びヘッド１２を備え、ヘッド１２が羽根１２２を備え、羽根１２２が第１の軸線Ａを中心として回転可能であり、ヘッド１２が第２の軸線Ｂを中心としてベース１０ａの外周全体に渡って回転可能であり、第２の軸線Ｂが水平面に対して前に向かって上方へ斜めに傾き、縦置き型の扇風機１０は独立した自動上下首振り機構を設けていない。
【００３６】
このように、第２の軸線Ｂが第１の軸線Ａに対して斜めに設けられるので、単一の駆動構成によって、ヘッド１２が水平方向及び鉛直方向により形成された空間範囲内で回転するように駆動されることが同時に実現され、構造が簡単になり、コストが低下される。
【００３７】
この実施形態において、縦置き型の扇風機１０は独立した自動左右首振り機構を設けていない。
【００３８】
このように、構造が簡単になり、生産コストが低下される。
【００３９】
この実施形態において、縦置き型の扇風機１０は、第１のモータ及び第２のモータからなる２つのモータのみを備え、第１のモータ２６が羽根に接続され、第２のモータ１８がヘッドに接続される。
【００４０】
このように、縦置き型の扇風機１０は、第２のモータ１８のみにより、ヘッド１２が水平方向及び鉛直方向により形成された空間範囲内で回転するように駆動されることが実現され、構造が簡単になり、コストが低下される。
【００４１】
この実施形態において、ヘッド１２が歯車伝動機構又はリンク伝動機構に接続される。このように、構造が簡単になり、確実に堅固になる。
【００４２】
この実施形態において、縦置き型の扇風機１０は、ヘッド１２を支持するための支持部２８、及び支持部２８とヘッド１２とを接続する湾曲部１６を備え、支持部２８が鉛直方向に沿って延び、湾曲部１６が支持部２８から離れる柱状の装着部１６０を備え、装着部１６０の中心軸が支持部２８に対して傾斜し、第２の軸線Ｂが装着部１６０の中心軸に対して直交する。装着部１６０には第２の回転軸１４が設けられ、第２の回転軸１４が装着部１６０の中心軸に対して直交する。第２のモータ１８の第３の回転軸１８０が第２の回転軸１４に接続されることで、第２の回転軸１４が回転するように駆動される。
【００４３】
このように、縦置き型の扇風機１０は、傾斜する柱状の装着部１６０によって第２の軸線Ｂが第１の軸線Ａに対して斜めに設けられることを実現する。
【００４４】
この実施形態において、縦置き型の扇風機１０は、第１の歯車２０及び第２の歯車２２を備え、第１の歯車２０が第３の回転軸１８０に接続され、第２の歯車２２が第２の回転軸１４に接続され、第２の歯車２２が第１の歯車２０に噛み合う。
【００４５】
このように、第２のモータ１８は、第１の歯車２０及び第２の歯車２２により第２の回転軸１４が回転されるように駆動する。
【００４６】
具体的に、第２の歯車２２は内歯車であり、縦置き型の扇風機１０が回転機能を開始するとき、第２のモータ１８は、第１の歯車２０が第２の歯車２２を回って運動させるように駆動することで、第２の回転軸１４が運動するように駆動され、最終的にヘッド１２が運動するように駆動される。
【００４７】
この実施形態において、第２の回転軸１４にはベアリング２４が外嵌される。ベアリング２４の数は２つであり、２つのベアリング２４が第２の回転軸１４に外嵌されるとともに上下に対向する。ベアリング２４は第２の回転軸１４を支持するためのものであり、第２の回転軸１４が回転中の摩擦を低減できる。
【００４８】
この実施形態において、第２の回転軸１４の先端にロックナット２６が設けられる。ロックナット２６はベアリング２４が第２の回転軸１４に固定されてベアリング２４から取り外されることを防止するようにベアリング２４に当接する。
【００４９】
この実施形態において、縦置き型の扇風機１０において、第２の回転軸１４、湾曲部１６、第２のモータ１８、第１の歯車２０、第２の歯車２２、ベアリング２４、及びロックナット２６により回転構造を形成し、回転構造は、ヘッド１２が横方向における回転と上下首振り回転を同時に実現する効果を奏するように、ヘッド１２を駆動する。
【００５０】
図７は、本発明の実施形態に係る縦置き型の扇風機１０の運転状態を示す図であり、図において、左から右に、ヘッド１２の空間範囲内での回転が実現され、即ち、ヘッド１２の水平方向における回転及び鉛直方向における回転を同時に実現する効果が奏される。
【００５１】
本発明の実施形態に係る縦置き型の扇風機１０は、単一のモータにより、ヘッド１２が空間範囲内で回転されるように駆動でき、設計スペースを節約でき、構造が簡単になり、実現が容易になり、且つ製造コストが少なくなる。
【００５２】
具体的に、ヘッド１２は基本的に円形であり、ヘッド１２は、ネットカバー１２４と、ネットカバー１２４に収納される羽根１２２と、羽根１２２が回転するように駆動するための第１のモータ２６とを備える。ヘッド１２の前方には吹出面１２０が形成され、第１のモータ２６の第１の回転軸２６０が吹出面１２０に直交するとともに、ヘッド１２の中心軸に位置する。第２のモータ１８の第３の回転軸１８０は第２の回転軸１４に平行する。第２の回転軸１４は両側に延びて接続部１４０が形成され、接続部１４０がヘッド１２に固定的に接続される。第２の回転軸１４は接続部１４０と一体成型され、板金部品である。縦置き型の扇風機１０は支持部２８を介してヘッド１２に接続され、支持部２８が水平面と直交し、支持部２８が縦置き型の扇風機１０を静かに地面に設置できるように台座３０に接続される。
【００５３】
図８を参照すると、本発明の第２の実施形態に係る壁掛け型の扇風機１００は、ベース１０２及びヘッド１０４を備え、ヘッド１０４は羽根、ネットカバー、及び第１の回転軸Ｃを備え、第１の回転軸Ｃが羽根を回転させるように駆動するためのものであり、ヘッド１０４が回転軸線Ｄを中心としてベース１０２の外周全体に渡って回転可能であり、回転軸線Ｄがネットカバーを貫通するとともに、第１の回転軸Ｃに対して斜めに設けられ、設置される際、回転軸線Ｄが壁面に対して直交する。
【００５４】
このように、第１の回転軸Ｃが回転軸線Ｄに対して斜めに設けられ、単一の駆動構成によって、ヘッド１０４が水平方向及び鉛直方向により形成された空間範囲内で回転するように駆動されることが同時に実現され、構造が簡単になり、コストが低下される。
【００５５】
本発明の第２の実施形態に係る壁掛け型の扇風機１００のヘッド１０４の具体的回転構成は、本発明の第１の実施形態に係る縦置き型の扇風機１０を参照すればいいので、ここでは、贅言を要しない。
【００５６】
図９及び図１０を参照すると、本発明の実施形態に係る家庭用電気機器２００は、可動部２０２及び固定部２０４を備え、可動部２０２はネットカバーを備え、可動部２０２が回転軸線Ｅを中心として固定部２０４の外周全体に渡って回転可能であり、回転軸線Ｅがネットカバーを貫通するとともに、可動部２０２のネットカバー中心線Ｆに対して斜めに設けられ、家庭用電気機器２００は独立した自動左右首振り機構を設けていない。
【００５７】
このように、可動部２０２の中心線Ｆが回転軸線Ｅに対して斜めに設けられ、単一の駆動構成によって、可動部２０２が水平方向及び鉛直方向により形成された空間範囲内で回転するように駆動されることが同時に実現され、構造が簡単になり、コストが低下される。
【００５８】
本発明の実施形態に係る家庭用電気機器２００は、第１の実施形態に係る縦置き型の扇風機１０や第２の実施形態に係る壁掛け型の扇風機１００に限らず、ターボファンや、吹き込み型ファンなどの縦置き型の扇風機であってもよく、また、吊り下げ型ファンなどの壁掛け型の扇風機であってもよい。図９及び図１０はそれぞれターボファン及び吊り下げ型を例として本発明の実施形態に係る家庭用電気機器２００を説明する。
【００５９】
本発明の実施形態に係る扇風機の送風方法であって、扇風機は羽根１２２及びネットカバーを備えるヘッド１２を含み、当該送風方法は、ヘッド１２の羽根１２２が第１の軸線Ａを中心として回転して気流を生成するステップと、ヘッド１２が第２の軸線Ｂに対して外周全体に渡って回転するステップと、を含み、第２の軸線Ｂが前後方向にネットカバーを貫通するとともに、第１の軸線Ａに対して斜めに設けられる。
【００６０】
このように、第２の軸線Ｂが第１の軸線Ａに対して斜めに設けられるので、単一の駆動構成によって、ヘッド１２が水平方向及び鉛直方向により形成された空間範囲内で回転するように駆動されることが同時に実現され、構造が簡単になり、コストが低下される。
【００６１】
本発明の説明において、「一つの実施形態」、「一部の実施形態」、「例示的な実施形態」、「事例」、「具体的な事例」、或いは「一部の事例」などの用語を参照した説明とは、該実施形態或いは事例に結合して説明された具体的な特徴、構成、材料或いは特徴が、本発明の少なくとも一つの実施形態或いは事例に含まれることである。本明細書において、上記用語に対する例示的な描写は、必ずしも同じ実施形態或いは事例を示すことではない。又、説明された具体的な特徴、構成、材料或いは特徴は、いずれか一つ或いは複数の実施形態又は事例において適切に結合することができる。
【００６２】
本発明の実施例を示して説明したが、当業者は、本発明の原理及び主旨から逸脱することなく、これらの実施例に対して各種の変化、修正、切り替え及び変形を行うことができる。本発明の範囲は、特許請求の範囲及びその等価物により限定される。
【符号の説明】
【００６３】
１０  扇風機
１０ａ  ベース
１２  ヘッド
１２２  羽根
１２４  ネットカバー
【図１】
0006648260.tif 000002
【図２】
0006648260.tif 000003
【図３】
0006648260.tif 000004
【図４】
0006648260.tif 000005
【図５】
0006648260.tif 000006
【図６】
0006648260.tif 000007
【図７】
0006648260.tif 000008
【図８】
0006648260.tif 000009
【図９】
0006648260.tif 000010
【図１０】
0006648260.tif 000011